(57)【特許請求の範囲】
【請求項１】
マルチディスプレイを構成する表示装置であって、
前記マルチディスプレイにおける前記表示装置の位置情報を記憶する位置情報記憶手段、
電源がオンされたことに応じて、少なくとも前記位置情報記憶手段に記憶された位置情報を含む設置情報を、前記表示装置の梱包材に設けた第１開口に対応する前記表示装置の表示部の位置に表示する設置情報表示手段、および
視認可能に記載された前記表示装置の製造番号の位置に対応して設けられた前記梱包材の第２開口から前記表示装置に電源を供給するための端子、
前記設置情報の表示を制限する制限情報を設定する制限情報設定手段、および
前記制限情報が示す制限を満たすかどうかどうかを判断する判断手段を備え、
前記設置情報表示手段は、前記判断手段によって、前記制限情報が示す制限を満たさないことが判断された場合に、前記設置情報を前記表示部に表示する、表示装置。
【請求項２】
前記マルチディスプレイにおいて配置される向きについての向き情報を記憶する向き情報記憶手段をさらに備え、
前記設置情報は、前記向き情報をさらに含む、請求項１記載の表示装置。
【請求項３】
前記位置情報は、少なくとも表示位置が異なる第１位置情報および第２位置情報を含み、
前記設置情報表示手段は、前記第２位置情報の近傍に前記向き情報を表示する、請求項２記載の表示装置。
【請求項４】
前記マルチディスプレイの配置パターンに従う順番で駆動するように、前記表示部を駆動するまでの遅延時間を設定する遅延時間設定手段、および
前記電源のオンが指示されたことに応じて、前記遅延時間設定手段によって設定された遅延時間を経過してから前記表示部を駆動させる駆動制御手段をさらに備える、請求項１ないし３のいずれかに記載の表示装置。
【請求項５】
前記位置情報に応じて色情報を設定する色情報設定手段、および
前記設置情報とともに、前記色情報設定手段によって設定された色情報が示す色の背景を前記表示部に表示する背景表示手段をさらに備える、請求項１ないし４のいずれかに記載の表示装置。
【請求項６】
マルチディスプレイを構成する表示装置の表示制御プログラムであって、
前記表示装置は、視認可能に記載された前記表示装置の製造番号の位置に対応して設けられた前記表示装置の梱包材の第１開口から前記表示装置に電源を供給するための端子を備え、
前記表示装置のプロセッサに、
前記マルチディスプレイにおける前記表示装置の位置情報を記憶部に記憶する位置情報記憶ステップ、
電源がオンされたことに応じて、少なくとも前記記憶部に記憶された位置情報を含む設置情報を、前記梱包材に設けた第２開口に対応する前記表示装置の表示部の位置に表示する位置情報表示ステップ、
前記設置情報の表示を制限する制限情報を設定する制限情報設定ステップ、および
前記制限情報が示す制限を満たすかどうかどうかを判断する判断ステップを実行させ、
前記設置情報表示ステップは、前記判断ステップにおいて、前記制限情報が示す制限を満たさないことを判断した場合に、前記設置情報を前記表示部に表示する、表示制御プログラム。
【請求項７】
マルチディスプレイを構成する表示装置の表示制御方法であって、
前記表示装置は、視認可能に記載された前記表示装置の製造番号の位置に対応して設けられた前記表示装置の梱包材の第１開口から前記表示装置に電源を供給するための端子を備え、
（ａ）前記マルチディスプレイにおける前記表示装置の位置情報を記憶部に記憶するステップ、
（ｂ）電源がオンされたことに応じて、少なくとも前記記憶部に記憶された位置情報を含む設置情報を、前記梱包材に設けた第２開口に対応する前記表示装置の表示部の位置に表示するステップ、
（ｃ）前記設置情報の表示を制限する制限情報を設定するステップ、および
（ｄ）前記制限情報が示す制限を満たすかどうかどうかを判断するステップを含み、
前記ステップ（ｂ）は、前記ステップ（ｄ）において、前記制限情報が示す制限を満たさないことを判断した場合に、前記設置情報を前記表示部に表示する、表示制御方法。
【発明の詳細な説明】
【技術分野】
【０００１】
この発明は、表示装置、表示制御プログラムおよび表示制御方法に関し、特にたとえば、マルチディスプレイに用いられる、表示装置、表示制御プログラムおよび表示制御方法に関する。
【背景技術】
【０００２】
特許文献１に開示されるマルチモニタシステムでは、複数の表示装置を水平方向および垂直方向に並べて所定の配置位置に配置するためのモニタスタンドが設けられる。モニタスタンドは、複数のスタンドユニットを水平方向および垂直方向に組み合わせて構成され、各スタンドユニットには、配置位置情報設定ユニットが取り付けられる。この配置位置情報設定ユニットを構成するＮＦＣチップは、リーダ・ライタ端末が供給する水平モニタ台数および垂直モニタ台数ならびにモニタ設置番号を、配置位置情報としてその内部に備える記憶部に記憶させる。スタンドユニットに取り付けられた配置位置情報設定ユニットと表示装置の背面に設けられた無線通信部とは近距離無線通信を行い、表示装置は、配置位置情報設定ユニットから水平モニタ台数と、垂直モニタ台数と、モニタ設定番号とを取り込むことにより、マルチモニタシステムにおける自身の配置位置を判定する。そして、表示装置は、判定された配置位置に適応した表示を行う。
【０００３】
また、特許文献２に開示される映像音声出力装置は、複数台を組み合わせて一つの大画面のマルチ画面ディスプレイとして使用される。各映像音声出力装置には、予めその組み合わせ設置位置がユーザの指示等により設定されている。したがって、各映像音声出力装置は、サーバから配信される映像音声データに対応する映像および音声を同時に出力する際に、組み合わせ設置位置に応じて、映像の一部を拡大して表示するとともに、音声をスピーカから出力する。
【先行技術文献】
【特許文献】
【０００４】
【特許文献１】ＷＯ ２０１４／１１５２９８ Ａ１
【特許文献２】特開２０１２−４９７２３号公報
【発明の概要】
【発明が解決しようとする課題】
【０００５】
しかし、特許文献１の技術では、表示装置の無線通信部が、スタンドユニットに取り付けられた配置位置情報設定ユニットと無線通信を行うことにより、表示装置は、配置位置情報設定ユニットから水平モニタ台数と、垂直モニタ台数と、モニタ設定番号とを取り込むことにより、マルチモニタシステムにおける自身の配置位置を判定するため、表示装置の配置位置を予め設定することができなかった。このような表示装置では、それぞれ、輝度または／および色の再現性に個体差があるため、その個体差に応じて配置位置を決定することがある。しかし、この特許文献１の技術では、予め配置位置を設定することができない。このため、表示装置をスタンドユニットの異なる配置位置に取り付けてしまっても、そのことに気づき難いという問題がある。
【０００６】
この点、特許文献２の技術では、各表示装置の配置位置を予め設定し、設定した配置位置を記憶しておくため、各表示装置の個体差に応じた配置位置を設定することができる。しかし、設定された配置位置は記憶部に記憶されるだけである。このため、マルチ画面ディスプレイを設置する者およびこれを使用するユーザは、各表示装置が正しい配置位置に取り付けられているかどうかについては、マルチ画面ディスプレイを設置した後に、実際に画像または映像を表示してみないと分からない。これでは、不便である。
【０００７】
それゆえに、この発明の主たる目的は、新規な、表示装置、表示制御プログラムおよび表示制御方法を提供することである。
【０００８】
また、この発明の他の目的は、設置前であっても配置位置を容易に知ることができる、表示装置、表示制御プログラムおよび表示制御方法を提供することである。
【課題を解決するための手段】
【０００９】
第１の発明は、マルチディスプレイを構成する表示装置であって、位置情報記憶手段、設置情報表示手段、端子、制限情報設定手段、および判断手段を備える。位置情報記憶手段は、マルチディスプレイにおける表示装置の位置情報を記憶する。たとえば、表示装置の位置情報は、マルチディスプレイにおける配置位置の情報であって、当該マルチディスプレイを正面から見た場合に、縦方向の位置と横方向の位置とで表される。設置情報記憶手段は、電源がオンされたことに応じて、少なくとも位置情報記憶手段に記憶された位置情報を含む設置情報を、表示装置の梱包材に設けた第１開口に対応する表示装置の表示部の位置に表示する。端子は、視認可能に記載された表示装置の製造番号の位置に対応して設けられた梱包材の第２開口から表示装置に電源を供給するために設けられる。制限情報設定手段は、設置情報の表示を制限する制限情報を設定する。判断手段は、制限情報が示す制限を満たすかどうかどうかを判断する。設置情報表示手段は、判断手段によって、制限情報が示す制限を満たさないことが判断された場合に、設置情報を表示部に表示する。
【００１０】
第１の発明によれば、マルチディスプレイにおいて表示装置が配置される配置位置の位置情報を記憶して、電源がオンされたことに応じて、位置情報を表示するので、表示装置が設置された後においても位置情報を容易に確認することができる。
また、第１の発明によれば、表示装置が梱包材に梱包された状態であっても、第２位置情報および向き情報を確認することができる。したがって、表示装置が設置される直前まで開封しなくて良いため、設置前において表示装置に傷が入るなどの不都合を出来る限り防止することができる。
さらに、第１の発明によれば、設置情報の表示を制限するので、マルチディスプレイの導入時のような必要な場合（期間）だけ、設置情報を表示することができる。
【００１１】
第２の発明では、表示装置は向き情報記憶手段をさらに備える。向き情報記憶手段は、マルチディスプレイにおいて配置される向きについての向き情報を記憶する。上記の設置情報は、向き情報をさらに含む。
【００１２】
第２の発明によれば、位置情報のみならず向き情報を表示するので、配置位置のみならず、配置する向きを容易に確認することができる。
【００１３】
第３の発明では、位置情報は、少なくとも表示位置が異なる第１位置情報および第２位置情報を含む。設置情報表示手段は、第２位置情報の近傍に向き情報を表示する。
【００１４】
第３の発明によれば、たとえば、表示装置を設置する前に、第２位置情報および向き情報を確認し、表示装置を設置した後に、第１位置情報を確認することができる。
【００１９】
第４の発明では、表示装置は、遅延時間設定手段および駆動制御手段をさらに備える。遅延時間設定手段は、マルチディスプレイの配置パターンに従う順番で駆動するように、表示部を駆動するまでの遅延時間を設定する。駆動制御手段は、電源のオンが指示されたことに応じて、遅延時間設定手段によって設定された遅延時間を経過してから表示部を駆動させる。
【００２０】
第４の発明によれば、たとえば、マルチディスプレイの配置パターンに従う順番で駆動するように遅延時間を設定すれば、配置パターンに従う順番で、各表示装置の表示部を駆動（オン）させることができる。したがって、表示装置が正しい配置位置に設置されているかどうかを補助的に確認することができる。また、マルチディスプレイを構成する複数の表示装置の表示部が一度に全部オンされることがないため、電源供給側においてブレーカーが落ちるなどの不都合を回避することができる。
【００２１】
第５の発明では、表示装置は、色情報設定手段、および背景表示手段をさらに備える。色情報設定手段は、位置情報に応じて色情報を設定する。背景表示手段は、設置情報とともに、色情報設定手段によって設定された色情報が示す色の背景を表示部に表示する。
【００２２】
第５の発明によれば、設置情報とともに、位置情報に応じた色情報の背景を表示するので、背景色の輝度や背景色の違いに応じて、表示装置が正しい配置位置に設置されているかどうかを補助的に確認することができる。
【００２３】
第６の発明は、マルチディスプレイを構成する表示装置の表示制御プログラムであって、表示装置は、視認可能に記載された表示装置の製造番号の位置に対応して設けられた表示装置の梱包材の第１開口から表示装置に電源を供給するための端子を備え、表示装置のプロセッサに、マルチディスプレイにおける表示装置の位置情報を記憶部に記憶する位置情報記憶ステップ、電源がオンされたことに応じて、少なくとも記憶部に記憶された位置情報を含む設置情報を、梱包材に設けた第２開口に対応する表示装置の表示部の位置に表示する位置情報表示ステップ、設置情報の表示を制限する制限情報を設定する制限情報設定ステップ、および制限情報が示す制限を満たすかどうかどうかを判断する判断ステップを実行させ、設置情報表示ステップは、判断ステップにおいて、制限情報が示す制限を満たさないことを判断した場合に、設置情報を表示部に表示する、表示制御プログラムである。
【００２４】
第７の発明は、マルチディスプレイを構成する表示装置の表示制御方法であって、表示装置は、視認可能に記載された表示装置の製造番号の位置に対応して設けられた梱包材の第１開口から表示装置に電源を供給するための端子を備え、（ａ）マルチディスプレイにおける表示装置の位置情報を記憶部に記憶するステップ、（ｂ）電源がオンされたことに応じて、少なくとも記憶部に記憶された位置情報を含む設置情報を、梱包材に設けた第２開口に対応する表示装置の表示部の位置に表示するステップ、および（ｄ）制限情報が示す制限を満たすかどうかどうかを判断するステップを含み、ステップ（ｂ）は、ステップ（ｄ）において、制限情報が示す制限を満たさないことを判断した場合に、設置情報を表示部に表示する、表示制御方法である。
【００２５】
第６および第７の発明においても、第１の発明と同様に、表示装置が設置された後においても位置情報を容易に確認することができる。
また、第６および第７の発明においても、第１の発明と同様に、第２位置情報および向き情報を確認することができ、また、設置前において表示装置に傷が入るなどの不都合を出来る限り防止することができる。
さらに、第６および第７の発明においても、第１の発明と同様に、マルチディスプレイの導入時のような必要な場合（期間）だけ、設置情報を表示することができる。
【発明の効果】
【００２６】
この発明によれば、マルチディスプレイにおける配置位置についての位置情報を予め設定しておき、この位置情報を含む配置情報を表示部に表示するので、表示装置が設置された後においても位置情報を容易に確認することができる。
【００２７】
この発明の上述の目的，その他の目的，特徴および利点は、図面を参照して行う以下の実施例の詳細な説明から一層明らかとなろう。
【図面の簡単な説明】
【００２８】
【図１】図１は第１実施例の表示装置の電気的な構成の一例を示すブロック図である。
【図２】図２は図１に示す表示装置を用いたマルチディスプレイシステムの概略構成の一例を示す図解図である。
【図３】図３は図１に示す表示装置を用いたマルチディスプレイの構成例を示す図解図である。
【図４】図４（Ａ）は図１に示す表示装置を梱包した梱包箱を表面から見た図解図であり、図４（Ｂ）は図１に示す表示装置を梱包した梱包箱を裏面から見た図解図であり、図４（Ｃ）は表示装置の表示例および天面となる側面を指示する向きの情報を説明するための図解図である。
【図５】図５は図１に示すＲＡＭのメモリマップの一例を示す図解図である。
【図６】図６は図１に示すＣＰＵの起動処理の一例を示すフロー図である。
【図７】図７は図１に示すＣＰＵの設置情報設定処理の一例を示すフロー図である。
【図８】図８は図１に示すＣＰＵの表示情報設定処理の一例を示すフロー図である。
【図９】図９（Ａ）は複数の表示装置が３×３の配列で配置される場合のマルチディスプレイの基準の配置位置を説明するための図解図であり、図９（Ｂ）は配置パターン１に従って配置される表示装置およびその位置情報の第１の例を説明するための図解図であり、図９（Ｃ）は配置パターン２に従って配置される表示装置およびその位置情報の第１の例を説明するための図解図である。
【図１０】図１０（Ａ）は配置パターン１に従って配列される表示装置およびその位置情報の第２の例を説明するための図解図であり、図１０（Ｂ）は配置パターン１に従って配列される表示装置およびその位置情報の第３の例を説明するための図解図であり、図１０（Ｃ）は配置パターン１に従って配列される表示装置およびその位置情報の第３の例を説明するための図解図である。
【図１１】図１１（Ａ）は配置パターン２に従って配列される表示装置およびその位置情報の第２の例を説明するための図解図であり、図１１（Ｂ）は配置パターン２に従って配列される表示装置およびその位置情報の第３の例を説明するための図解図であり、図１１（Ｃ）は配置パターン２に従って配列される表示装置およびその位置情報の第３の例を説明するための図解図である。
【図１２】図１２（Ａ）はマルチディスプレイにおける各表示装置の表示部をオンする順番の第１の例を示す図解図であり、図１２（Ｂ）はマルチディスプレイにおける各表示装置の表示部をオンする順番の第２の例を示す図解図である。
【図１３】図１３は第２実施例におけるＲＡＭのメモリマップを示す図解図である。
【図１４】図１４は第２実施例におけるＣＰＵの起動処理を示すフロー図である。
【図１５】図１５は第２実施例におけるＣＰＵの設置情報設定処理を示すフロー図である。
【図１６】図１６は第２実施例におけるＣＰＵのパワーオンディレイ設定処理を示すフロー図である。
【図１７】図１７は或るコンピュータに接続されるモニタに表示される決定画面の一例を示す図解図である。
【図１８】図１８は第３実施例におけるＲＡＭのメモリマップを示す図解図である。
【図１９】図１９は第３実施例におけるＣＰＵの起動処理を示すフロー図である。
【図２０】図２０は第３実施例におけるＣＰＵの表示情報設定処理を示すフロー図である。
【発明を実施するための形態】
【００２９】
＜第１実施例＞
図１はこの発明の第１実施例の表示装置１０の電気的な構成を示すブロック図である。この図１を参照して、表示装置１０は、ＣＰＵ３０を含み、ＣＰＵ３０はバス３２を介して、ＲＡＭ３４、ＥＥＰＲＯＭ３６、通信部３８、表示駆動部４０、映像信号入力部４４、操作部４６および電源制御部４８に接続される。また、表示駆動部４０には、表示部４２が接続される。
【００３０】
ＣＰＵ３０は、表示装置１０の全体的な制御を司る。ＲＡＭ３４は、ＣＰＵ３０のワーク領域およびバッファ領域として用いられる。ＥＥＰＲＯＭ３６は、ＥＥＰＲＯＭのような不揮発性のメモリであり、表示装置１０を制御するための制御プログラムおよび表示装置１０の各種情報についてのデータを記憶したりする。ただし、ＥＥＰＲＯＭ３６に代えて、フラッシュメモリまたはＨＤＤなどの他の不揮発性のメモリが設けられても良い。
【００３１】
通信部３８は、ＵＳＢメモリまたは他のコンピュータと通信するためのインターフェイスであり、たとえば、有線ＬＡＮ、ＲＳ−２３２Ｃ、ＵＳＢ、ＤＤＣ／ＣＩ(Display Data Channel Command Interface)、ＨＤＭＩ−ＣＥＣ(High Definition Multimedia Interface Consumer Electronics Control)などを用いることができる。
【００３２】
ただし、他のコンピュータは、ＰＣ１０２またはこれとは別のコンピュータ或いは他の表示装置１０を意味する。
【００３３】
また、後述する図２のマルチディスプレイシステム（ネットワークシステム）１００では、複数の表示装置１０は、ＰＣ１０２とハブ１０４を介して接続されるようにしてあるが、複数の表示装置１０はデイジーチェーン接続されてもよい。かかる場合には、通信部３８には、入力ポートおよび出力ポートが設けられる。
【００３４】
また、他の実施例として、通信部３８は、無線ＬＡＮによって実現されてもよい。
【００３５】
表示駆動部４０は、表示部４２に表示される映像ないし画像を生成および出力するためのコントローラである。表示部４２は、表示パネルおよびバックライトを含み、表示駆動部４０から与えられる映像または画像についてのデータを出力する。
【００３６】
映像信号入力部４４は、他のコンピュータから与えられる映像または画像についてのデータを入力するためのインターフェイスであり、ＤｉｓｐｌａｙＰｏｒｔ、ＨＤＭI（登録商標）、ＤＶＩおよびＤ−ＳＵＢなどが利用される。ただし、映像または画像のデータのみならず、音声についてのデータも入力することができる。
【００３７】
操作部４６は、表示装置１０に設けられる各種の操作ボタン（操作キー）およびリモコン受信部であり、ユーザによる操作入力を受け付けたり、リモコン（図示せず）から送信されるリモコン信号（赤外線信号）を受信したりする。たとえば、操作部４６は、表示装置１０の電源をオンしたり、表示装置１０についての各種の情報を設定および変更（調整）したりする場合に使用される。各種の情報としては、輝度、明度、コントラスト、色温度、水平位置および垂直位置などが該当する。
【００３８】
電源制御部４８は、ＣＰＵ３０の指示の下、電源（電圧）を各コンポーネントに供給および停止するための回路（スイッチ回路）である。図示は省略するが、電源制御部４８には、商用電源からの交流電圧が適宜降圧および整流（ノイズ除去）された直流電圧（直流電源）が印加される。
【００３９】
図２は、図１に示した表示装置１０を複数用いて構成したマルチディスプレイシステム（以下、単に「システム」という）１００の一例を示すブロック図である。
【００４０】
図２に示すように、システム１００はＰＣ１０２を含み、ＰＣ１０２は、ハブ１０４を介して、複数の表示装置１０の各々に通信可能に接続される。たとえば、ＰＣ１０２および複数の表示装置１０の各々は、ＬＡＮケーブルを用いてハブ１０４に接続される。ただし、ＰＣ１０２は、複数の表示装置１０の各々と無線ＬＡＮで通信可能に接続されてもよい。または、複数の表示装置１０はデイジーチェーン接続され、一方または他方の端部に配置される表示装置１０が有線ＬＡＮまたは無線ＬＡＮでＰＣ１０２に直接接続されるようにしてもよい。
【００４１】
このようなシステム１００において、マルチディスプレイを構成する場合には、まず、このマルチディスプレイの配列が決定される。次に、このマルチディスプレイに用いられる複数の表示装置１０の各々の配置位置が開発者ないし設計者等によって決定される。これは、複数の表示装置１０の間で、輝度または／および色に個体差（ばらつき）があるからである。したがって、たとえば、マルチディスプレイに用いられる複数の表示装置１０の各々の配置位置が決定されると、各表示装置１０の製造番号に対応付けて、決定された配置位置を記載した情報が、当該マルチディスプレイの設置担当者に与えられる。設置担当者は、決定された配置位置を記載した情報に従ってマルチディスプレイ（各表示装置１０）を設置する。
【００４２】
通常、配置位置を記載した情報は、表データまたはそれを印字した紙媒体であり、設置担当者は、梱包された複数の表示装置１０の各々を開封し、各表示装置１０に貼り付けられたラベルを見て製造番号を確認し、各表示装置１０を、配置位置を記載した情報に従って設置する。
【００４３】
このため、各表示装置１０は、マルチディスプレイを構成するためのフレームに固定されるまでの間、開封された状態で待機場所に置かれることがあるため、表示部４２（表示パネル）の表示面に傷が入るなどの不都合が発生してしまう虞がある。
【００４４】
また、たとえば、５×５の配列を有するマルチディスプレイを、その表示面が水平面（床面ないし地面）に対して垂直または略垂直になるように設置する場合には、最上段の表示装置１０の高さは４ｍを越えることがある。このため、特に、最上段の表示装置１０については、製造番号を記載したラベルを目視で確認するのは困難である。したがって、実際に画像または映像を表示するまでは、各表示装置１０が正しい配置位置に配置（設置）されているかどうかを確認することができない。
【００４５】
このような不都合を回避するため、この第１実施例では、表示面の色差を軽減するためのＲＧＢコントラスト値、輝度調整値、入力モード（画像または映像の入力インターフェイス）などの各種情報の設定に加えて、各表示装置１０にマルチディスプレイにおける配置位置および配置する向きの情報も予め設定しておき、梱包された表示装置１０を開封する前および配置位置に配置された後であっても、容易に配置位置を確認できるようにしてある。
【００４６】
この第１実施例では、表示装置１０は、他のコンピュータからの所定のコマンド（テキストで記載されたコマンド）に応じた処理（動作）を実行する機能を有している。ただし、一部のコマンドについては、表示装置１０に装着されたＵＳＢメモリから送信されてもよい。
【００４７】
この第１実施例では、所定のコマンドは、電源オンの指示コマンド、設置情報の指定コマンドおよび表示情報の設定コマンドである。また、所定のコマンドには、上述したＲＧＢコントラスト値、輝度調整値、入力モードなどの各種情報を設定するためのコマンドも含まれるが、これらのコマンドは本願発明の本質的な内容とは異なるため、この明細書においては説明を省略することにする。
【００４８】
電源オンの指示コマンドは、表示装置１０の電源をオンさせるためのコマンドである。表示装置１０は、電源オンのコマンドを受信すると、当該コマンドに従って自身の電源をオンする。ただし、表示装置１０は、操作部４６に含まれる電源ボタンが操作されることに応じて、自身の電源をオンする場合もある。
【００４９】
設置情報の指定コマンドは、この第１実施例では、表示装置１０にマルチディスプレイ５０における配置位置を示す位置情報および配置する向き（天面となる側面を指示する向き）を示す設置向き情報を設定させるためのコマンドである。表示装置１０は、設置情報の指定コマンドを受信すると、当該コマンドに従って位置情報および設置向き情報（以下、これらをまとめて「設置情報」と呼ぶことがある）を設定する。つまり、表示装置１０は、設置情報の指定コマンドに従って、当該コマンドに記述された位置情報および設置向きの情報を不揮発性のメモリ（この第１実施例では、ＥＥＰＲＯＭ３６）に記憶する。
【００５０】
表示情報の設定コマンドは、この第１実施例では、天面となる側面を指示する矢印の向きの情報（矢印向き情報）を設定するとともに、設置情報の表示を制限するための制限情報を設定するためのコマンドである。表示装置１０は、表示情報の設定コマンドを受信すると、当該コマンドに従って、設置向き情報から矢印の向きを決定し、矢印の向き情報をＥＥＰＲＯＭ３６に記憶するとともに、当該コマンドに記述された制限情報をＥＥＰＲＯＭ３６に記憶する。この第１実施例では、制限情報は、残り表示回数（最大表示回数）および表示期限（年月日および時間）の情報を含む。ただし、設置向き情報は、上述したように、設置情報の指定コマンドに従ってＥＥＰＲＯＭ３６に記憶されている。
【００５１】
設置情報、矢印の向き情報および制限情報が設定された後では、表示装置１０の電源がオンされると、当該表示装置１０の表示部４２（表示パネル）には、マルチディスプレイ５０における設置情報、すなわち位置情報および配置向き情報（矢印の向き情報）が表示される。
【００５２】
このように、制限情報を設定するのは、位置情報および天面となる側面を指示する矢印を表示装置１０（表示部４２）に表示するのは、マルチディスプレイ５０の導入時であり、マルチディスプレイ５０を導入した後においては表示されるべきでないからである。
【００５３】
図３は図２に示したシステム１００において、９台の表示装置１０を用いて構成したマルチディスプレイ５０の一例を正面から見た図解図である。ただし、図３においては、ＰＣ１０２およびハブ１０４等は省略してある。
【００５４】
図３に示すように、マルチディスプレイ５０において、９台の表示装置１０が縦方向および横方向にそれぞれ３台ずつ並べられる。つまり、９台の表示装置１０の配列は３×３である。
【００５５】
このような配列のマルチディスプレイ５０を正面から見た場合において、各表示装置１０の位置情報を行列と同様に、行と列の要素で表現すると、図３に示す例では、左上（上段の左）に配置された表示装置１０の位置情報が（１，１）に設定される。また、上段の真ん中に配置された表示装置１０の位置情報は（１，２）に設定される。さらに、右上（上段の右）に配置された表示装置１０の位置情報は（１，３）に設定される。
【００５６】
中段の左に配置された表示装置１０の位置情報は（２，１）に設定される。また、中段の真ん中に配置された表示装置１０の位置情報は（２，２）に設定される。さらに、中段の右に配置された表示装置１０の位置情報は（２，３）に設定される。
【００５７】
左下（下段の左）に配置された表示装置１０の位置情報は（３，１）に設定される。また、下段の真ん中に配置された表示装置１０の位置情報は（３，２）に設定される。さらに、右下（下段の右）に配置された表示装置１０の位置情報は（３，３）に設定される。
【００５８】
このように、行列に従えば、各表示装置１０に設定される位置情報は、行数は上から下に向かうに従って増加し、列数は左から右に向かうに従って増加する。つまり、行数および列数の各々は、一定の方向に向かうに従って増加する。以下、この明細書においては、マルチディスプレイ５０において配置位置が決定された複数の表示装置１０に対して、行数および列数の各々が、一定の方向に向かうに従って増加するように位置情報を設定する方法を配置パターン１と呼ぶ。
【００５９】
の第１実施例では、９台の表示装置１０が３×３で配列されたマルチディスプレイ５０を正面から見た場合に、行列と同様に、各表示装置１０の位置情報を設定した場合について示してあるが、これに限定される必要はない。これは、配列されたマルチディスプレイ５０を見る方向が常に一定とは限らず、また、各表示装置１０に設定する位置情報の並び順も常に一定とは限らないからである。
【００６０】
たとえば、図３に示すマルチディスプレイ５０を左側から見る場合には、上記の３×３の行列を右方向（時計回り）に９０度回転させて、各表示装置１０の位置情報が設定される。この場合、位置情報として（１，１）が設定される位置（以下、開始位置という）に配置されているのは、図３においては、右上の表示装置１０である。また、他の表示装置１０の位置情報は、配置パターン１に従えば、行数については右からから左に向かうに従って増加するように設定され、列数については上から下に向かうに従って増加するように設定される。
【００６１】
また、マルチディスプレイ５０において配置位置が決定された複数の表示装置１０の配置パターンは、配置パターン１に限定される必要はない。たとえば、行数を一定の方向に従って増加させ、列数を増加させる方向を列毎に入れ替えるようにしてもよい。かかる場合には、図３に示したマルチディスプレイ５０の中段に配置されている３台の表示装置１０の位置情報は、右から左に向かって、（２，１）、（２，２）、（２，３）に設定される。以下、この明細書においては、行数を一定の方向に従って増加させ、列数を増加させる方向を列毎に入れ替えるように位置情報を設定する方法を配置パターン２と呼ぶことにする。
【００６２】
さらに、配置パターン１および配置パターン２は、左右の方向が反転されてもよい。配置パターン１および配置パターン２では、左右の方向が反転されても、行数が増加する方向は変化しないが、列数が増加する方向が各行において逆向きになる。以下、この明細書においては、配置パターン１および配置パターン２の方向は、開始位置から列数が左から右に向かうに従って増加する場合を時計回り（右回り）の方向といい、開始位置から列数が右から左に向かうに従って増加する場合を反時計回り（左回り）の方向という。
【００６３】
したがって、マルチディスプレイ５０の設計者ないし開発者は、マルチディスプレイ５０の配列（サイズ）を決定し、マルチディスプレイ５０に使用する各表示装置１０の配置位置を決定すると、開始位置、配置パターンおよび配置パターンの方向を決定して、各表示装置１０の位置情報を設定する。
【００６４】
ここでは、各表示装置１０が設置される向きについての説明は省略するが、各表示装置１０は配置位置のみならず、その４つの側面のうち、マルチディスプレイ５０を正面から見た場合に、上側の面（天面）となる側面も決定される。
【００６５】
また、図３に示すマルチディスプレイ５０の例では、各表示装置１０の表示部４２には、自身の位置情報（配置位置）を示す文字列が表示されるとともに、表示装置１０の側面のうち、天面となる側面を指示する向きを示す矢印が表示される。ただし、図３からも分かるように、表示装置１０の位置情報を示す文字列は、表示部４２の表示面の中央またはほぼ中央と、その上部の二箇所に表示される。また、この第１実施例では、中央またはほぼ中央に表示される位置情報を示す文字列（以下、説明の都合上「第１文字列」と言うことがある）６０は、その上部に表示される位置情報を示す文字列（以下、説明の都合上「第２文字列」と言うことがある）６２よりも大きくされる（図４（Ｃ）参照）。これは、第１文字列６０と第２文字列６２の役割が異なるためである。また、天面となる側面を指示する向きを示す矢印６４は、第２文字列６２の近傍に表示される（図４（Ｃ）参照）。
【００６６】
たとえば、第１文字列６０は、マルチディスプレイ５０を設置した後で、このマルチディスプレイ５０を構成する各表示装置１０が正しい配置位置に配置されているかどうかを設置担当者等に確認させる役割を有する。また、第２文字列６２および矢印６４は、たとえば、各表示装置１０を設置する前において、当該各表示装置１０を配置するべき配置位置および天面となる側面を指示する向きを設置担当者等に確認させる役割を有する。ただし、第２文字列６２は、マルチディスプレイ５０を設定した後でも見ることができるため、第１文字列６０と同様の役割も果たす。
【００６７】
図４（Ａ）は表示装置１０の梱包箱２００の一例を正面から見た図解図であり、図４（Ｂ）は表示装置１０の梱包箱２００の一例を背面から見た図解図である。また、図４（Ｃ）は表示装置１０の表示例および天面となる側面を指示する向きを説明するための図解図である。ただし、図４（Ａ）および図４（Ｂ）では、表示装置１０が梱包箱２００内に入っているものとする。
【００６８】
詳細な説明は省略するが、たとえば、梱包箱２００は段ボールで形成され、表示装置１０は、表示部４２（表示パネル）の表示面を養生され、緩衝材を用いて梱包箱２００の内部に封入（梱包）される。
【００６９】
図４（Ａ）に示すように、梱包箱２００の表面（正面）には、開口２００ａが設けられる。この開口２００ａは、図４（Ｃ）に示すように、第２文字列６２および矢印６４が表示される位置ないし範囲に対応して形成される。したがって、第２文字列６２および矢印６４が表示される位置ないし範囲は各表示装置１０において同じであり、また、梱包箱２００に梱包される際の各表示装置１０の向きは一定である。ただし、開口２００ａは、表示装置１０を設置場所に搬送するまでの間は、閉じた状態であってもよい。これは搬送時に表示装置１０に傷が入るなどの不都合を防止するためである。このことは、後述する開口２００ｂについても同じである。
【００７０】
また、図４（Ｂ）に示すように、梱包箱２００の裏面（背面）には、開口２００ｂが設けられる。この開口２００ｂは、梱包箱２００内の表示装置１０に電源を供給するとともに、表示装置１０にコマンドを送信するために設けられる。したがって、開口２００ｂは、表示装置１０の電源ケーブルおよび通信部３８に接続される端子が設けられる位置に対応して形成される。
【００７１】
ただし、マルチディスプレイ５０に使用される複数の表示装置１０の各々に上記の各種情報、位置情報、配置向き情報および制限情報を設定する場合には、個別に他のコンピュータを接続すれば良いため、これらの情報の設定時には、図２に示したようなシステム１００を構成する必要はない。
【００７２】
このように、開口２００ａおよび開口２００ｂを設けるので、設置情報の指定および表示情報の設定は、表示装置１０が梱包される前または開封された後のみならず、梱包されている状態においても行うことができる。
【００７３】
ただし、上述したように、配置位置情報には、製造番号に対応して配置位置が記載されているため、表示装置１０の製造番号が梱包箱２００の表面に記載されたり、製造番号が記載されたラベルを開口２００ｂを通して見える位置に貼り付けたりして、表示装置１０を開封せずに、製造番号を確認できるようにしておく必要がある。または、製造番号を表示装置１０のＥＥＰＲＯＭ３６に記憶しておき、表示装置１０に接続したコンピュータから製造番号の送信コマンドをこの表示装置１０に送信して、表示装置１０から読み出すようにしてもよい。
【００７４】
また、設置情報の指定および表示情報の設定を終えた後においては、第１文字列６０、第２文字列６２および矢印６４を表示することもできる。このため、開口２００ａを通して、第２文字列６２および矢印６４を視認することができる。したがって、表示装置１０が梱包された状態において、この表示装置１０の配置位置およびマルチディスプレイ５０を正面から見た場合に天面となる側面を知ることができる。
【００７５】
ただし、設置向き情報は、図４（Ｃ）に示すように、表示装置１０を正面から見た場合に、その上側面の方向を［１］とし、その左側面の方向を［２］とし、その下側面の方向を［３］とし、その右側面の方向を［４］として設定することにより、数字を用いて設定される。
【００７６】
また、図４（Ｃ）では、第１文字列６０の表示方向は、表示装置１０の上側面が天面となる場合の例を示してある。上述したように、第１文字列６０は、マルチディスプレイ５０を設置した後に、配置位置を確認するために表示されるため、マルチディスプレイ５０を正面から見た場合に、数字を正しい方向で見ることができる向きで表示される。したがって、たとえば、表示装置１０の左側面が天面となる場合には、第１文字列６０は、図４（Ｃ）に示す状態から左方向の９０度回転した状態で表示される。
【００７７】
なお、第２文字列６２は、上述したように、表示装置１０が梱包された状態で配置位置を確認するために表示されるため、天面となる側面の方向に拘わらず、図４（Ｃ）に示す状態から変化することはない。
【００７８】
図５は図１に示した表示装置１０のＲＡＭ３４のメモリマップ３００の一例を示す図解図である。図５に示すように、ＲＡＭ３４は、プログラム記憶領域３０２およびデータ記憶領域３０４を含む。プログラム記憶領域３０２は、表示装置１０で実行される表示制御プログラムを記憶し、表示制御プログラムは、通信プログラム３０２ａ、画像取得プログラム３０２ｂ、画像生成プログラム３０２ｃ、画像表示プログラム３０２ｄ、起動処理プログラム３０２ｅ、設置情報設定プログラム３０２ｆおよび表示情報設定プログラム３０２ｇなどで構成される。この表示制御プログラムは、ＥＥＰＲＯＭ３６から読み出され、ＲＡＭ３４に記憶される。
【００７９】
通信プログラム３０２ａは、ＵＳＢメモリまたは他のコンピュータと通信するためのプログラムである。
【００８０】
画像取得プログラム３０２ｂは、通信可能に接続されたコンピュータ（第１実施例では、ＰＣ１０２）から送信される画像データまたは映像データを取得するためのプログラムであり、映像信号入力部４４に入力された画像データまたは映像データを受信して、後述する画像データバッファ３０４ｂに一時記憶する。
【００８１】
画像生成プログラム３０２ｃは、上記の第１文字列６０、第２文字列６２および矢印６４を含む表示画面の画面データを生成するためのプログラムである。ただし、画像生成プログラム３０２ｃは、各種の情報を設定する場合に表示部４２に表示される表示画面の画面データを生成するためのプログラムでもある。ただし、画面データは、表示駆動部４０に内蔵されるＧＰＵが後述する画像生成データ３０４ｃを用いて、表示駆動部４０に内蔵されるＶＲＡＭ上に生成される。
【００８２】
画像表示プログラム３０２ｄは、画像取得プログラム３０２ｂに従って取得された画像データまたは映像データに対応する画像または映像を表示部４２に表示するためのプログラムであり、表示駆動部４０を制御して、画像データバッファ３０４ｂに記憶された画像データまたは映像データを表示部４２に出力する。また、画像表示プログラム３０２ｄは、画像生成プログラム３０２ｃに従って生成された画面データに対応する表示画面を表示部４２に表示するためプログラムであり、表示駆動部４０を制御して、ＶＲＡＭ上に生成された画面データを表示部４２に出力する。
【００８３】
起動処理プログラム３０２ｅは、表示装置１０の電源をオンしたときに起動処理を実行するためのプログラムである。簡単に説明すると、起動処理は、表示装置１０の電源がオンされたときに、設置情報を表示するための処理である。
【００８４】
設置情報設定プログラム３０２ｆは、通信可能に接続された他のコンピュータから送信される設置情報の指定コマンドに従って設置情報を設定するためのプログラムであり、たとえば、設置情報のデータが、ＥＥＰＲＯＭ３６などの不揮発性のメモリに記憶される。表示情報設定プログラム３０２ｇは、通信可能に接続された他のコンピュータから送信される表示情報の設定するコマンドに従って当該表示情報を設定するためのプログラムであり、表示情報のデータは、ＥＥＰＲＯＭ３６などの不揮発性のメモリに記憶される。ただし、表示情報は、天面となる側面を指示する矢印の向きを示す矢印向き情報および設置情報の表示制限についての制限情報を含む。
【００８５】
図示は省略するが、プログラム記憶領域３０２には、上記のプログラムの他に、ユーザの指示（操作ないし入力）を検出するためのプログラムや他のコマンドに応じて処理を実行するためのプログラムなど、表示装置１０で実行される他のプログラムも記憶される。
【００８６】
また、データ記憶領域３０４には、送受信バッファ３０４ａおよび画像データバッファ３０４ｂが設けられる。また、データ記憶領域３０４には、画像生成データ３０４ｃ、位置情報データ３０４ｄ、矢印向き情報データ３０４ｅおよび表示制限データ３０４ｆが記憶される。さらに、データ記憶領域３０４には、表示フラグ３０４ｇが設けられる。
【００８７】
送受信バッファ３０４ａは、ＵＳＢメモリまたは他のコンピュータとの間で送受信されるデータおよび他のコンピュータから受信したコマンドを一時記憶するためのバッファである。画像データバッファ３０４ｂは、通信可能に接続された他のコンピュータや表示装置１０に装着された外部メモリから入力された（受信した）画像データまたは映像データを一時記憶するためのバッファである。画像生成データ３０４ｃは、文字列６０、６２および矢印６４を含む表示画面などの各種画面を生成するためのデータであり、ポリゴンデータやテクスチャデータなどを含む。この画像生成データ３０４ｃは、ＥＥＰＲＯＭ３６から読み出され、ＲＡＭ３４に記憶される。
【００８８】
位置情報データ３０４ｄは、マルチディスプレイ５０における自身の表示装置１０の配置位置（位置情報）についてのデータであり、ＥＥＰＲＯＭ３６から読み出され、ＲＡＭ３４に記憶される。矢印向き情報データ３０４ｅは、マルチディスプレイ５０における自身の表示装置１０の天面となる側面を指示する向きに応じて決定された矢印６４の向きのデータであり、ＥＥＰＲＯＭ３６から読み出され、ＲＡＭ３４に記憶される。表示制限データ３０４ｆは、残り表示回数および表示期限についてのデータであり、ＥＥＰＲＯＭ３６から読み出され、ＲＡＭ３４に記憶される。また、残り表示回数は、起動処理が実行される度に１ずつ減算され、ＥＥＰＲＯＭ３６に記憶された残り表示回数のデータは更新される。
【００８９】
表示フラグ３０４ｇは、配置位置（位置情報）を表示するか否かを判断するためのフラグである。この表示フラグ３０４ｇは、残り表示回数が０になる、または、表示期限が経過するとオフされるが、オフされるまではオンの状態が維持される。
【００９０】
データ記憶領域３０４には、表示制御プログラムを実行するために必要な他のデータも記憶され、また、当該制御プログラムを実行するために必要なカウンタ（タイマ）および他のフラグなども設けられる。
【００９１】
図６は図１に示したＣＰＵ３０の起動処理の一例を示すフロー図である。表示装置１０は、電源ボタンが操作されることにより電源オンが指示されたり、他のコンピュータから送信される電源オンの指示コマンドを受信したりすると、これに応じて、図６に示すように、起動処理を開始する。ＣＰＵ３０は、起動処理を開始すると、ステップＳ１で、表示フラグ３０４ｇがオンかどうかを判断する。ただし、表示装置１０の電源がオンされたとき、ＥＥＰＲＯＭ３６から表示制御プログラム（３０２ａ〜３０２ｇなど）、画像生成データ３０４ｃ、表示制限データ３０４ｆおよび表示フラグ３０４ｇが読み出され、ＲＡＭ３４に記憶される。また、表示装置１０では、ＣＰＵ３０は、電源ボタンの操作を受け付けたり、電源オンコマンドを受信したりすると、電源制御部４８を指示して、すべてのコンポーネントへの電源供給を開始する。
【００９２】
なお、表示装置１０には、商用電源が供給されているが、電源がオフであるスタンバイ状態においては、電源制御部４８はＣＰＵ３０、通信部３８および操作部４６にのみ電源を供給する。
【００９３】
ステップＳ１で“ＮＯ”であれば、つまり表示フラグ３０４ｇがオフであれば、そのまま起動処理を終了する。一方、ステップＳ１で“ＹＥＳ”であれば、つまり表示フラグ３０４ｇがオンであれば、ステップＳ３で、残り表示回数が０以下であるかどうかを判断する。このとき、ＣＰＵ３０は、表示制限データ３０４ｆを参照して、残り表示回数が０以下であれるかどうかを判断する。
【００９４】
ステップＳ３で“ＹＥＳ”であれば、つまり残り表示回数が０であれば、表示制限を満たすと判断して、ステップＳ１３で、表示フラグ３０４ｇをオフして、起動処理を終了する。一方、ステップＳ３で“ＮＯ”であれば、つまり残り表示回数が１以上であれば、ステップＳ５で、現在時刻が表示期限以内であるかどうかを判断する。ここでは、ＣＰＵ３０は、表示装置１０内部に設けられるＲＴＣ（図示は省略）から現在時刻（年月日を含む）を取得し、表示制限データ３０４ｆが示す表示期限についての時刻（年月日を含む）以内（以前）であるかどうかを判断する。
【００９５】
ステップＳ５で“ＮＯ”であれば、つまり現在時刻が表示期限を越えている場合には、表示制限を満たすと判断して、ステップＳ１３に進む。一方、ステップＳ５で“ＹＥＳ”であれば、つまり現在時刻が表示期限以内であれば、ステップＳ７で、位置情報および矢印向き情報を読み込む。ここでは、ＣＰＵ３０は、ＥＥＰＲＯＭ３６から位置情報データ３０４ｄおよび矢印向き情報データ３０４ｅを読み出し、ＲＡＭ３４のデータ記憶領域３０４に記憶する。続いて、ステップＳ９で、残り表示回数を１減算し、ステップＳ１１で、表示駆動部４０を制御して、位置情報に応じた第１文字列６０および第２文字列６２と、矢印の向き情報に応じた矢印６４を含む表示画面を表示部４２に表示して、起動処理を終了する。ただし、矢印６４は、第２文字列６２の近傍に表示される。
【００９６】
図７は図１に示したＣＰＵ３０の設置情報設定処理の一例を示すフロー図であり、図８は図１に示したＣＰＵ３０の表示除法設定処理の一例を示すフロー図である。この設置情報設定処理および表示情報設定処理がユーザからの指示に従って事前に実行されることにより、図６に示した起動処理において、表示装置１０の配置情報を示す第１文字列６０、第２文字列６２および矢印６４を含む表示画面が表示部４２に表示される。
【００９７】
ユーザが他のコンピュータを用いて設置情報の指定コマンドを送信すると、表示装置１０（ＣＰＵ３０）はこの指定コマンドを受信し、これに応じて、図７に示すように、設置情報設定処理を開始する。ＣＰＵ３０は、設置情報設定処理を開始すると、ステップＳ３１で、配置情報の指定コマンドが指定する位置情報をＥＥＰＲＯＭ３６に記憶し、ステップＳ３３で、配置情報の指定コマンドが指定する設置向き情報をＥＥＰＲＯＭ３６に記憶して、設置情報設定処理を終了する。
【００９８】
また、他のコンピュータを用いて表示情報の設定コマンドを送信すると、表示装置１０（ＣＰＵ３０）はこの設定コマンドを受信し、これに応じて、図８に示すように、表示情報設定処理を開始する。ＣＰＵ３０は、表示情報設定処理を開始すると、ステップＳ５１で、設置情報設定処理でＥＥＰＲＯＭ３６に記憶された設置向き情報を読み込み、ステップＳ５３で、設置向きを示す矢印の向きを決定する。次のステップＳ５５で、決定した矢印の向きに対応する矢印向き情報をＥＥＰＲＯＭ３６に記憶する。そして、ステップＳ５７で、表示情報の設定コマンドが示す残り表示回数および表示期限をＥＥＰＲＯＭ３６に記憶して、表示情報設定処理を終了する。
【００９９】
この第１実施例によれば、表示装置１０の電源がオンされると、表示制限を満たす前においては、マルチディスプレイ５０における位置情報を示す第１文字列６０および第２文字列６２が表示部４２表示されるとともに、天面となる側面を指示する矢印６４が表示部４２に表示されるので、表示装置１０の配置位置および配置する向きを事前に知ることができ、表示装置１０を設置した後においても、正しい配置位置に正しい配置向きで設置されているかどうかを容易に確認することができる。
【０１００】
また、この第１実施例によれば、梱包箱２００に設けた開口２００ａから表示装置１０の配置位置および配置向きを確認することができるので、設置前の準備段階で表示装置１０を開封する必要が無い。したがって、設置前において表示部４２の表示面に傷が入るなどの不都合を出来る限り防止することができる。
【０１０１】
なお、この第１実施例では、矢印６４も表示するようにしたが、矢印６４は表示しなくてもよい。かかる場合には、たとえば、第２文字列６２も、第１文字列６０と同様に、マルチディスプレイ５０を正面から見た場合に、数字が正しい方向で見える態様で表示すればよい。
【０１０２】
また、この第１実施例では、制限情報は、残り表示回数および表示期限の情報を含むようにしてが、いずれか一方の情報を含むようにしてもよい。かかる場合には、起動処理において、ステップＳ３またはステップＳ５が削除される。
【０１０３】
さらに、この第１実施例では、表示制限が満たされる場合に、表示フラグ３０４ｇをオフするようにしたが、各表示装置１０の位置情報および配置向きの確認を終えた場合には、表示制限が満たされる前に、表示フラグ３０４ｇをオフするコマンドを表示装置１０に送信して、表示フラグ３０４ｇをオフするようにしてもよい。
【０１０４】
さらにまた、この第１実施例では、起動処理を開始した後に、表示フラグ３０４ｇがオンかどうかを判断するようにしてあるが、起動処理が開始される前に、表示フラグ３０４ｇがオンかどうかを判断し、表示フラグ３０４ｇがオンの場合に、起動処理を実行し、表示フラグ３０４ｇがオフの場合に、起動処理を実行しないようにしてもよい。
＜第２実施例＞
第２実施例では、表示装置１０の電源をオンする指示が与えられてから表示部４２（バックライト）をオン（駆動）するまでの時間（遅延時間）を設定し、この遅延時間だけ表示部４２がオンされるのを遅延（パワーオンディレイ）させるようにした以外は、第１実施例の表示装置１０と同じであるため、重複した説明は省略する、または、簡単に説明することにする。
【０１０５】
このように、各表示装置１０で表示部４２をオンさせるタイミングをずらすことにより、たとえば、マルチディスプレイ５０を構成する複数の表示装置１０の表示部４２を配置パターン１または配置パターン２に従う順番でオンさせることができる。したがって、設置担当者等は、表示装置１０の表示部４２がオンされる順場を見ることにより、各表示装置１０が正しい配置位置に配置されているかどうかを確認することもできる。
【０１０６】
ただし、配置パターン１または配置パターン２に従う順番は、開始位置の位置情報を先頭に、行数および列数が次第に増加する順番である。具体的には、３×３の配列で９台の表示装置１０が配置されるマルチディスプレイ５０では、（１，１）、（１，２）、（１，３）、（２，１）、（２，２）、（２，３）、（３，１）、（３，２）、（３，３）の順番である。
【０１０７】
また、第１実施例で説明したように、開発者等がマルチディスプレイ５０における複数の表示装置１０の配置位置を決定する場合に当該マルチディスプレイ５０を見る方向と、実際に設置されたマルチディスプレイ５０を見る方向とは一致しない場合もある。
【０１０８】
したがって、第２実施例では、開発者等が複数の表示装置１０を配置する場合に、マルチディスプレイ５０を見る方向および配置位置を固定的に決定し、固定的に決定した配置位置（以下、「基準の配置位置」という）において、実際に設置されたマルチディスプレイ５０を見る方向等に応じて、開始位置、配置パターンおよび配置パターンの方向を設定した場合における各表示装置１０に設定される位置情報について説明し、配置パターン１または配置パターン２に従って各表示装置１０の表示部４２がオンされる順番を図示する。
【０１０９】
図９（Ａ）は、３×３で配列したマルチディスプレイ５０を構成する９台の表示装置１０についての基準の配置位置を示す。図９（Ｂ）は、基準の配置位置において、左上の位置を基準位置として選択し、配置パターン１を選択し、配置パターン１の方向として時計回りを選択した場合に設定される各表示装置１０の位置情報および各表示装置１０の表示部４２がオンされる順番を示す。図９（Ｃ）は、基準の配置位置において、左上の位置を基準位置として選択し、配置パターン２を選択し、配置パターン２の方向として時計回りを選択した場合に設定される各表示装置１０の位置情報および各表示装置１０の表示部４２がオンされる順番を示す。
【０１１０】
図９（Ａ）に示すように、基準の配置位置では、各配置位置に番号を付してある。この第２実施例では、左上の配置位置に「１」が付され、上段の真ん中の配置位置に「２」が付され、右上の配置位置に「３」が付される。また、中段の左の配置位置に「４」が付され、中段の真ん中の配置位置に「５」が付され、中段の右の配置位置に「６」が付される。そして、左下の配置位置に「７」が付され、下段の真ん中の配置位置に「８」が付され、右下の配置位置に「９」が付される。
【０１１１】
このような基準の配置位置において、開始位置が左上に選択され、配置パターン１が選択され、時計回りの方向が選択されると、図９（Ｂ）に示すように、「１」の位置の表示装置１０の表示情報が（１，１）に設定され、「２」の位置の表示装置１０の位置情報が（１，２）に決定され、「３」の位置の表示装置１０の位置情報が（１，３）に決定される。また、「４」の位置の表示装置１０の位置情報が（２，１）に決定され、「５」の位置の表示装置１０の位置情報が（２，２）に決定され、「６」の位置の表示装置１０の位置情報が（３，２）に決定される。さらに、「７」の位置の表示装置１０の位置情報が（３，１）に決定され、「８」の位置の表示装置１０の位置情報が（３，２）に決定され、「９」の位置の表示装置１０の位置情報が（３，３）に決定される。
【０１１２】
したがって、図９（Ｂ）の矢印で示すように、基準の配置位置に配置された各表示装置１０は、配置パターン１に従う順番で、その表示部４２をオンされる。以下、他の場合についても同様であるため、重複した説明は省略する。
【０１１３】
また、基準の配置位置において、開始位置が左上に選択され、配置パターン２が選択され、時計回りの方向が選択されると、図９（Ｃ）に示すように、「１」の位置の表示装置１０の表示情報が（１，１）に設定され、「２」の位置の表示装置１０の位置情報が（１，２）に決定され、「３」の位置の表示装置１０の位置情報が（１，３）に決定される。また、「６」の位置の表示装置１０の位置情報が（２，１）に決定され、「５」の位置の表示装置１０の位置情報が（２，２）に決定され、「４」の位置の表示装置１０の位置情報が（３，２）に決定される。さらに、「７」の位置の表示装置１０の位置情報が（３，１）に決定され、「８」の位置の表示装置１０の位置情報が（３，２）に決定され、「９」の位置の表示装置１０の位置情報が（３，３）に決定される。
【０１１４】
ただし、図９（Ｂ）および図９（Ｃ）に示す場合には、開発者等がマルチディスプレイ５０を見る方向と、実際に設置されたマルチディスプレイ５０を設置者等が見る方向とは一致している。つまり、マルチディスプレイ５０を図９（Ａ）に示す下側から見ている。
【０１１５】
また、基準の配置位置において、開始位置が左上に選択され、配置パターン１が選択され、反時計回りの方向が選択されると、図１０（Ａ）に示すように、「１」の位置の表示装置１０の表示情報が（１，１）に設定され、「４」の位置の表示装置１０の位置情報が（１，２）に決定され、「７」の位置の表示装置１０の位置情報が（１，３）に決定される。また、「２」の位置の表示装置１０の位置情報が（２，１）に決定され、「５」の位置の表示装置１０の位置情報が（２，２）に決定され、「８」の位置の表示装置１０の位置情報が（３，２）に決定される。さらに、「３」の位置の表示装置１０の位置情報が（３，１）に決定され、「６」の位置の表示装置１０の位置情報が（３，２）に決定され、「９」の位置の表示装置１０の位置情報が（３，３）に決定される。
【０１１６】
ただし、図１０（Ａ）に示す場合には、設置者等は、実際に設置されたマルチディスプレイ５０を図９（Ａ）において右側から見ることになる。つまり、図９（Ａ）に示すマルチディスプレイ５０の左端が設置者等が実際に見る場合の上端となり、図９（Ａ）に示すマルチディスプレイ５０の右端が設置者等が実際に見る場合の下端となり、図９（Ａ）に示すマルチディスプレイ５０の上端が設置者等が実際に見る場合の右端となり、そして、図９（Ａ）に示すマルチディスプレイ５０の下端が設置者等が実際に見る場合の左端となる。以下同様である。
【０１１７】
また、基準の配置位置において、開始位置が右上に選択され、配置パターン１が選択され、反時計回りが選択されると、図１０（Ｂ）に示すように、「３」の位置の表示装置１０の表示情報が（１，１）に設定され、「２」の位置の表示装置１０の位置情報が（１，２）に決定され、「１」の位置の表示装置１０の位置情報が（１，３）に決定される。また、「６」の位置の表示装置１０の位置情報が（２，１）に決定され、「５」の位置の表示装置１０の位置情報が（２，２）に決定され、「４」の位置の表示装置１０の位置情報が（２，３）に決定される。さらに、「９」の位置の表示装置１０の位置情報が（３，１）に決定され、「８」の位置の表示装置１０の位置情報が（３，２）に決定され、「７」の位置の表示装置１０の位置情報が（３，３）に決定される。
【０１１８】
ただし、図１０（Ｂ）に示す場合には、開発者等がマルチディスプレイ５０を見る方向と、実際に設置されたマルチディスプレイ５０を設置者等が見る方向とは一致している。
【０１１９】
さらに、基準の配置位置において、開始位置が右下に選択され、配置パターン１が選択され、反時計回りが選択されると、図１０（Ｃ）に示すように、「９」の位置の表示装置１０の表示情報が（１，１）に設定され、「６」の位置の表示装置１０の位置情報が（１，２）に決定され、「３」の位置の表示装置１０の位置情報が（１，３）に決定される。また、「８」の位置の表示装置１０の位置情報が（２，１）に決定され、「５」の位置の表示装置１０の位置情報が（２，２）に決定され、「２」の位置の表示装置１０の位置情報が（２，３）に決定される。さらに、「７」の位置の表示装置１０の位置情報が（３，１）に決定され、「４」の位置の表示装置１０の位置情報が（３，２）に決定され、「１」の位置の表示装置１０の位置情報が（３，３）に決定される。
【０１２０】
ただし、図１０（Ｃ）に示す場合には、設置者等は、実際に設置されたマルチディスプレイ５０を図９（Ａ）において左側から見ることになる。
【０１２１】
また、基準の配置位置において、開始位置が左上に選択され、配置パターン２が選択され、反時計回りが選択されると、図１１（Ａ）に示すように、「１」の位置の表示装置１０の表示情報が（１，１）に設定され、「４」の位置の表示装置１０の位置情報が（１，２）に決定され、「７」の位置の表示装置１０の位置情報が（１，３）に決定される。また、「８」の位置の表示装置１０の位置情報が（２，１）に決定され、「５」の位置の表示装置１０の位置情報が（２，２）に決定され、「２」の位置の表示装置１０の位置情報が（２，３）に決定される。さらに、「３」の位置の表示装置１０の位置情報が（３，１）に決定され、「６」の位置の表示装置１０の位置情報が（３，２）に決定され、「９」の位置の表示装置１０の位置情報が（３，３）に決定される。
【０１２２】
ただし、図１１（Ａ）に示す場合には、設置者等は、実際に設置されたマルチディスプレイ５０を図９（Ａ）において左側から見ることになる。
【０１２３】
また、基準の配置位置において、開始位置が右上に選択され、配置パターン２が選択され、反時計回りが選択されると、図１１（Ｂ）に示すように、「３」の位置の表示装置１０の表示情報が（１，１）に設定され、「２」の位置の表示装置１０の位置情報が（１，２）に決定され、「１」の位置の表示装置１０の位置情報が（１，３）に決定される。また、「４」の位置の表示装置１０の位置情報が（２，１）に決定され、「５」の位置の表示装置１０の位置情報が（２，２）に決定され、「６」の位置の表示装置１０の位置情報が（２，３）に決定される。さらに、「９」の位置の表示装置１０の位置情報が（３，１）に決定され、「８」の位置の表示装置１０の位置情報が（３，２）に決定され、「７」の位置の表示装置１０の位置情報が（３，３）に決定される。
【０１２４】
ただし、図１１（Ｂ）に示す場合には、開発者等がマルチディスプレイ５０を見る方向と、実際に設置されたマルチディスプレイ５０を設置者等が見る方向とは一致している。
【０１２５】
さらに、基準の配置位置において、開始位置が左下に選択され、配置パターン２が選択され、時計回りが選択されると、図１１（Ｃ）に示すように、「７」の位置の表示装置１０の表示情報が（１，１）に設定され、「４」の位置の表示装置１０の位置情報が（１，２）に決定され、「１」の位置の表示装置１０の位置情報が（１，３）に決定される。また、「２」の位置の表示装置１０の位置情報が（２，１）に決定され、「５」の位置の表示装置１０の位置情報が（２，２）に決定され、「８」の位置の表示装置１０の位置情報が（２，３）に決定される。さらに、「９」の位置の表示装置１０の位置情報が（３，１）に決定され、「６」の位置の表示装置１０の位置情報が（３，２）に決定され、「３」の位置の表示装置１０の位置情報が（３，３）に決定される。
【０１２６】
ただし、図１１（Ａ）に示す場合には、設置者等は、実際に設置されたマルチディスプレイ５０を図９（Ａ）において左側から見ることになる。
【０１２７】
また、この第２実施例では、電源オンの指示が入力されてから表示部４２がオンされるまでの時間が表示順に従って所定時間（たとえば、１秒）ずつ遅延される。したがって、図１０（Ｂ）に示した場合には、図１２（Ａ）に示すように、「３」の位置の表示装置１０から配置パターン１に従う順番（図中の矢印に従う順番）で、「７」の位置の表示装置１０まで、遅延時間が０秒、１秒、…、８秒に設定される。
【０１２８】
また、図１１（Ｂ）に示した場合には、図１２（Ｂ）に示すように、「３」の位置の表示装置１０から配置パターン２に従う順番（図中の矢印に従う順番）で、「７」の位置の表示装置１０まで、遅延時間が０秒、１秒、…、８秒に設定される。
【０１２９】
図示は省略するが、他の場合についても同様に遅延時間が設定される。
【０１３０】
この第２実施例では、遅延時間（ＰＯＮＤＬＹ）は、数１に従って算出される。ただし、数１において、Ｍ＿ＳＩＺＥ＿Ｘは、実際に設置されたマルチディスプレイ５０を正面から見た場合における横方向に並べられた表示装置１０の数（総数）である。また、Ｍ＿ＰＯＳ＿ｘは、実際に設置されたマルチディスプレイ５０を正面から見た場合において、遅延時間を算出する対象である表示装置１０の横方向の配置位置（列数）であり、具体的には、当該表示装置１０の位置情報の右側の要素が示す数である。さらに、Ｍ＿ＰＯＳ＿ｙは、実際に設置されたマルチディスプレイ５０を正面から見た場合において、遅延時間を算出する対象である表示装置１０の縦方向の配置位置（行数）であり、具体的には、当該表示装置１０の位置情報の左側の要素が示す数である。また、Ｔは、配置パターン１または２に従う順番において、直前の表示装置１０の表示部４２がオンさせてから自身の表示装置１０の表示部４２をオンさせるまでの遅延時間であり、この第２実施例では、１秒に設定される。
【０１３１】
［数１］
PONDLY={(M_POS_x-1)+(M_POS_y-1)×M_SIZE_X}×T
したがって、図１２（Ａ）に示す例では、「５」の位置の表示装置１０の遅延時間は、数１を用いると、数２に示すように算出される。ただし、「５」の位置の表示装置１０の位置情報は（２，１）である。
【０１３２】
［数２］
PONDLY4={(1-1)+(2-1)×3}×1=3
上述したように、第２実施例では、各表示装置１０について、遅延時間が算出されるため、設定情報の指定コマンドには、設置情報として、マルチディスプレイ５０の配列（サイズ）の情報も含まれる。ただし、この配列は、実際に設置されたマルチディスプレイ５０を正面から見た場合の配列（縦方向の表示装置１０の数×横方向の表示装置１０の数）である。また、パワーオンディレイを実行するかどうかについての情報は、表示情報の設定コマンドに含まれる。したがって、第２実施例では、図１３に示すように、表示制御プログラムには、表示情報の設定コマンドに応じて遅延時間（パワーオンディレイ時間）を設定するためのプログラム（パワーオンディレイ設定プログラム）３０２ｈがさらに含まれる。このパワーオンディレイ設定プログラム３０２ｈは、遅延時間の情報を算出するとともに、後述する遅延フラグ３０４ｉをオンする。ただし、算出された遅延時間の情報についてのデータ（遅延時間情報データ）３０４ｈは、ＥＥＰＲＯＭ３６などの不揮発性のメモリに記憶され、必要に応じて、ＥＥＰＲＯＭ３６から読み出され、ＲＡＭ３４に記憶される。
【０１３３】
また、データ記憶領域３０４には、遅延時間情報データ３０４ｈがさらに記憶されるとともに、遅延フラグ３０４ｉおよびタイマ３０４ｊが設けられる。遅延時間情報データ３０４ｈは、上述した遅延時間の情報を示すデータであり、ＥＥＰＲＯＭ３６から読み出され、ＲＡＭ３４に記憶される。遅延フラグ３０４ｉは、パワーオンディレイを実行するかどうかを判断するためのフラグであり、遅延時間の情報が設定された場合にオンされ、遅延時間の情報が設定されていない場合にまたは設定担当者等の指示（コマンド）に従ってオフされる。また、タイマ３０４ｊは、遅延時間をカウントするためのタイマであり、起動処理が開始されるとカウントを開始する。
【０１３４】
図１４は第２実施例におけるＣＰＵ３０の起動処理を示すフロー図である。この第２実施例の起動処理は、図６に示した第１実施例の起動処理において、ステップＳ１の前に、ステップＳ１０１、ステップＳ１０３およびステップＳ１０５の処理を設けた以外は、第１実施例の起動処理と同じである。ただし、第２実施例では、表示装置１０の電源がオンされたときに、ＥＥＰＲＯＭ３６から遅延時間の情報が読み出される。また、図示は省略するが、第２実施例では、遅延時間の情報が記憶されていない場合を除いて、遅延時間を経過するまでは、ＣＰＵ３０の指示の下、表示駆動部４０が、表示部４２のバックライトをオフする。ただし、表示駆動部４０が表示部４２のバックライトをオフすることに代えて、ＣＰＵ３０の指示の下が、電源制御部４８が、遅延時間が経過するまで、表示部４２のバックライトに電源を供給しないようにしてもよい。
【０１３５】
図１４に示すように、ＣＰＵ３０は起動処理を開始すると、ステップＳ１０１で、遅延フラグ３０４ｉがオンであるかどうかを判断する。つまり、パワーオンディレイを行うかどうかが判断される。ステップＳ１０１で“ＮＯ”であれば、つまり遅延フラグ３０４ｉがオフであれば、そのままステップＳ１に進む。
【０１３６】
一方、ステップＳ１０１で“ＹＥＳ”であれば、つまり遅延フラグ３０４ｉがオンであれば、ステップＳ１０３で、遅延時間を経過したかどうかを判断する。このステップＳ１０３では、ＣＰＵ３０は、タイマ３０４ｊのカウント値が遅延時間以上になったかどうかを判断する。ただし、タイマ３０４ｊは、起動処理を開始したとき、または、ステップＳ１０１で“ＹＥＳ”となったときにカウントを開始する。
【０１３７】
ステップＳ１０３で“ＮＯ”であれば、つまり遅延時間を経過していなければ、同じステップＳ１０３に戻る。一方、ステップＳ１０３で“ＹＥＳ”であれば、つまり遅延時間を経過すれば、ステップＳ１０５で、バックライトをオンして、ステップＳ１に進む。
【０１３８】
図１５は、第２実施例におけるＣＰＵ３０の設置情報設定処理を示すフロー図である。この第２実施例の設置情報設定処理は、図７に示した第１実施例においてステップＳ３１の処理の前にステップＳ１１１を設けた以外は同じである。
【０１３９】
図１５に示すように、ＣＰＵ３０は、設置情報の指定コマンドに応じて設置情報設定処理を開始すると、ステップＳ１１１で、この指定コマンドが指定するマルチディスプレイ５０の配列情報（サイズ）をＥＥＰＲＯＭ３６に記憶し、ステップＳ３１に進む。
【０１４０】
図１６は、第２実施例におけるＣＰＵ３０のパワーオンディレイ設定処理を示すフロー図である。このパワーオンディレイ設定処理がユーザからの指示に従って事前に実行されることにより、図１４に示した起動処理において、パワーオンディレイが実行される。
【０１４１】
他のコンピュータからパワーオンディレイを実行することを示す情報を含む表示情報の設定コマンドを送信すると、表示装置１０（ＣＰＵ３０）はこの設定コマンドを受信し、これに応じて、図１６に示すように、パワーオンディレイ設定処理を開始する。ただし、上述したように、表示情報の設定コマンドに従って、表示情報設定処理も実行されるため、パワーオンディレイ設定処理は、この表示情報設定処理と並列に実行される。
【０１４２】
ＣＰＵ３０は、パワーオンディレイ設定処理を開始すると、ステップＳ７１で、配列情報および位置情報を、取得済みかどうかを判断する。ここでは、ＣＰＵ３０は、配列情報および位置情報がＥＥＰＲＯＭ３６に記憶されているかどうかを判断する。
【０１４３】
ステップＳ７１で“ＮＯ”であれば、つまり配列情報および位置情報の少なくとも一方を取得していなければ、ステップＳ７９で、遅延時間を０秒に設定し、設定した遅延時間をＥＥＰＲＯＭ３６に記憶して、ステップＳ８１に進む。
【０１４４】
一方、ステップＳ７１で“ＹＥＳ”であれば、つまり配列情報および位置情報を取得済みであれば、ステップＳ７３で、配列情報および位置情報を読み込み、ステップＳ７５で、数１に従って遅延時間を算出する。続くステップＳ７７では、算出した遅延時間をＥＥＰＲＯＭ３６に記憶して、ステップＳ８１に進む。
【０１４５】
ステップＳ８１では、ＥＥＰＲＯＭ３６に記憶される遅延フラグ３０４ｉをオンに設定して、パワーオンディレイ設定処理を終了する。
【０１４６】
第２実施例によれば、表示装置１０をオンする時間を遅延させるので、たとえば、マルチディスプレイ５０を構成する複数の表示装置１０の表示部４２の各々を配置パターン１または配置パターン２に従う順番でオンすることができる。したがって、表示される位置情報のみならず、オンされる順番によって表示装置１０が正しい配置位置に配置されているかどうかを判断することができる。
【０１４７】
また、第２実施例によれば、複数の表示装置１０が一度に全部オンにされることが無いため、供給する電源が急激に増大することにより、ブレーカーが落ちるなどの不都合を回避することができる。
【０１４８】
なお、この第２実施例では、位置情報から遅延時間を算出するようにしたが、マルチディスプレイ５０の設計者等が位置情報に応じて遅延時間を設定するようにしてもよい。
【０１４９】
たとえば、図１７に示すような決定画面４００を用いて、各表示装置１０の遅延時間を決定することもできる。
【０１５０】
遅延時間を決定するためのプログラムが、任意のコンピュータで実行されると、図１７に示す決定画面４００が当該コンピュータに接続されたモニタに表示される。決定画面４００には、配置パターンを選択するためのメニュー４０２、開始位置を選択するためのメニュー４０４、方向を選択するためのメニュー４０６が表示されるとともに、各表示装置１０の表示部４２がオンされる順番を示すパネル画像４０８が表示される。また、決定画面４００には、パネル画像４０８の下方に、ボタン４１０およびボタン４１２が表示される。ただし、パネル画像４０８の各パネルに表示された数字は、表示装置１０の表示部４２をオンさせる順番を示す。
【０１５１】
たとえば、開発者等は、基準の配置位置に配置した各表示装置１０について位置情報を決定した後に、その配置に従って、メニュー４０２、４０４、４０６で、配置パターン、開始位置および方向をそれぞれ選択する。すると、選択された配置パターン、開始位置および方向に応じて、表示部４２をオンする順番にパネル画像４０８が並べ変えられる。ここで、ボタン４１０がオンされると、パネル画像４０８が示す順番で表示部４２をオンするように、基準の配置位置に従って配置された各表示装置１０の遅延時間が決定される。ただし、遅延させる時間は、予め設定されている。
【０１５２】
図１７に示す例では、基準の配置位置において、「９」の位置に配置された表示装置１０の遅延時間が０秒に決定され、「６」の位置に配置された表示装置１０の遅延時間が１秒に決定され、「３」の位置に配置された表示装置１０の遅延時間が２秒に決定され、「８」の位置に配置された表示装置１０の遅延時間が３秒に決定され、「５」の位置に配置された表示装置１０の遅延時間が４秒に決定され、「２」の位置に配置された表示装置１０の遅延時間が５秒に決定され、「７」の位置に配置された表示装置１０の遅延時間が６秒に決定され、「４」の位置に配置された表示装置１０の遅延時間が７秒に決定され、そして、「１」の位置に配置された表示装置１０の遅延時間が８秒に決定される。
＜第３実施例＞
第３実施例の表示装置１０は、位置情報および配置向き情報を表示するのみならず、位置情報に応じて決定された色（表示色）で背景を表示するようにした以外は、第１実施例の表示装置１０と同じであるため、重複した説明は省略する、または、簡単に説明することにする。また、第２実施例において既に説明した内容と同じ内容についても同様である。
【０１５３】
第３実施例では、マルチディスプレイ５０を構成する複数の表示装置１０の各々で背景の表示色を変化させることにより、この変化によって、各表示装置１０の配置位置が正しいかどうかを確認することもできる。
【０１５４】
たとえば、表示色は、所定の順番に従って次第に変化されたり、所定の順番に従ってその輝度が変化されたりする。この実施例では、表示色が表示装置１０の配置される順番に従って変化される。この実施例では、表示色（ＲＧＢ)は、配列情報および位置情報を用いて数３に従って算出される。ただし、Ｍ＿ＳＩＺＥ＿Ｙは、実際に設置されたマルチディスプレイ５０を正面から見た場合における縦方向に並べられた表示装置１０の数（総数）である。
【０１５５】
［数３］
R=255-M_POS_y÷M_SIZE_Y×200
G=255-(M_POS_x-1)÷M_SIZE_X×200
B=255
ただし、これは一例であり、上述したように、単に輝度を変化させるようにしてもよい。また、この第３実施例では、表示色を算出するようにしてあるが、所定の順番に従って予め決定された色が設定されてもよい。
【０１５６】
この第３実施例では、背景の表示色を算出するため、設置情報の指定コマンドには、第２実施例で説明したように、マルチディスプレイ５０の配列情報（サイズ）も含まれる。また、表示情報の設定コマンドには、表示色を設定する旨の指示も含まれる。
【０１５７】
したがって、第３実施例では、図１８に示すように、表示制御プログラムには、表示色を設定するためのプログラム（表示色設定プログラム）３０２ｊがさらに含まれる。この表示色設定プログラム３０２ｊは、表示色を算出するとともに、算出した表示色についてのデータ（表示色情報データ）３０４ｋを、ＥＥＰＲＯＭ３６などの不揮発性のメモリに記憶する。ＥＥＰＲＯＭ３６に記憶された表示色情報データ３０４ｋは、必要に応じてＥＥＰＲＯＭ３６から読み出され、ＲＡＭ３４に記憶される。
【０１５８】
また、データ記憶領域３０４には、表示色情報データ３０４ｋがさらに記憶される。表示色情報データ３０４ｋは、上述した表示色の情報を示すデータであり、ＥＥＰＲＯＭ３６から読み出され、ＲＡＭ３４に記憶される。
【０１５９】
図１９は第３実施例におけるＣＰＵ３０の起動処理を示すフロー図である。この第３実施例の起動処理は、図６に示した第１実施例の起動処理において、ステップＳ７およびステップＳ１１の処理が変更された以外は、第１実施例の起動処理と同じである。ただし、第３実施例では、表示装置１０の電源がオンされたときに、ＥＥＰＲＯＭ３６から表示色の情報が読み出される。
【０１６０】
図１９に示すように、ステップＳ５で“ＹＥＳ”であれば、ステップＳ７ａで、位置情報、矢印の向き情報および表示色の情報を読み込み、ステップＳ９で、残り表示回数を１減算した後、ステップＳ１１ａで、表示駆動部４０を制御して、位置情報が示す配置位置、矢印の向き情報に応じた矢印および表示色の情報が示す表示色の背景を表示部４２に表示して、起動処理を終了する。
【０１６１】
図２０は第３実施例における表示情報設定処理を示すフロー図である。ただし、第３実施例では、図１５に示した第２実施例の設置情報設定処理と同じ処理が事前に実行されているものとする。
【０１６２】
この第３実施例の表示情報設定処理は、図８に示した第１実施例の表示設定処理において、ステップＳ５１とステップＳ５３の間に、ステップＳ１２１、ステップＳ１２３およびステップＳ１２５の処理が実行される以外は、第１実施例の表示情報設定処理と同じである。
【０１６３】
図２０に示すように、ステップＳ５１で、設置向き情報を読み込むと、ステップＳ１２１で、配列情報および位置情報を読み込む。次のステップＳ１２３で、読み込んだ配列情報および位置情報を用いて、数３に従って表示色を算出する。そして、ステップＳ１２５で、算出した表示色の情報を設定し、ステップＳ５３に進む。このステップＳ１２５では、ＣＰＵ３０は、表示色情報データ３０４ｋをＥＥＰＲＯＭ３６に記憶する。
【０１６４】
第３実施例によれば、表示装置１０に位置情報を表示する場合に、その背景の表示色を各表示装置１０間で異ならせるので、たとえば、マルチディスプレイ５０を構成する複数の表示装置１０を配置した順番に従って表示色を変化させることができる。したがって、表示される位置情報のみならず、表示色の変化によって表示装置１０が正しい配置位置に配置されているかどうかを判断することができる。
【０１６５】
なお、第２実施例の変形および第３実施例の変形は、同時に採用することもできる。この場合、第３実施例の図１９に示した起動処理において、ステップＳ１の前に、図１４に示したステップＳ１０１〜ステップＳ１０５の処理が実行される。また、第３実施例において、図１５に示した設置情報設定処理が実行されるとともに、図１６に示したパワーオンディスプレイ設定処理が実行される。
【０１６６】
また、上述の各実施例で挙げた画面および具体的な数値等は一例であり、実際の製品に応じて適宜変更することが可能である。また、同じ効果が得られる場合には、フロー図に示した各ステップの順番は適宜変更されてもよい。
【符号の説明】
【０１６７】
１０  …表示装置
３０  …ＣＰＵ
３４  …ＲＡＭ
３６  …ＥＥＰＲＯＭ
３８  …通信部
４０  …表示駆動部
４２  …表示部
４４  …映像信号入力部
４６  …操作部
４８  …電源制御部
【図１】
0006598580.tif 000002
【図２】
0006598580.tif 000003
【図３】
0006598580.tif 000004
【図４】
0006598580.tif 000005
【図５】
0006598580.tif 000006
【図６】
0006598580.tif 000007
【図７】
0006598580.tif 000008
【図８】
0006598580.tif 000009
【図９】
0006598580.tif 000010
【図１０】
0006598580.tif 000011
【図１１】
0006598580.tif 000012
【図１２】
0006598580.tif 000013
【図１３】
0006598580.tif 000014
【図１４】
0006598580.tif 000015
【図１５】
0006598580.tif 000016
【図１６】
0006598580.tif 000017
【図１７】
0006598580.tif 000018
【図１８】
0006598580.tif 000019
【図１９】
0006598580.tif 000020
【図２０】
0006598580.tif 000021